(57)【特許請求の範囲】
【請求項１】
測定データに基づく信号波形を表示部に表示させる制御部を備えた波形表示装置であって、
前記制御部は、前記信号波形に関する第１の情報を表示する第１の情報表示部および当該信号波形を表示する波形表示部を上下方向および左右方向のいずれか一方の方向で並べた第１の表示画面と、前記信号波形に関する第２の情報を表示する第２の情報表示部および前記波形表示部を前記一方の方向で並べた第２の表示画面とを、前記第１の表示画面および前記第２の表示画面のいずれか一方の表示画面から他方の表示画面に切り替えて表示させるときに、前記第１の情報表示部、前記波形表示部および前記第２の情報表示部を前記一方の方向にスクロールさせる波形表示装置。
【請求項２】
前記制御部は、前記信号波形に関する第３の情報を表示する第３の情報表示部および当該信号波形に関する第４の情報を表示する第４の情報表示部のいずれかと前記波形表示部とを前記上下方向および前記左右方向の他方の方向で並べて表示させる請求項１記載の波形表示装置。
【請求項３】
前記制御部は、前記第３の情報表示部および前記第４の情報表示部のいずれか一方を表示させた状態と、前記第３の情報表示部および前記第４の情報表示部のいずれも表示させていない状態とのいずれか一方の状態から他方の状態に切り替えるときに、少なくとも、前記波形表示部と、前記第３の情報表示部および前記第４の情報表示部のいずれか一方とを前記他方の方向にスクロールさせる請求項２記載の波形表示装置。
【請求項４】
前記制御部は、前記第３の情報表示部および前記第４の情報表示部のいずれか一方の情報表示部を表示させた状態から他方の当該情報表示部を表示させた状態に切り替えるときに、少なくとも、前記波形表示部、前記第３の情報表示部および前記第４の情報表示部を前記他方の方向にスクロールさせる請求項２または３記載の波形表示装置。
【請求項５】
前記制御部は、前記各表示画面内における前記波形表示部の時間軸方向の長さを互いに等しい長さに規定して当該波形表示部を表示させる請求項１から４のいずれかに記載の波形表示装置。
【請求項６】
測定データに基づく信号波形を表示部に表示させる際に、前記信号波形に関する第１の情報を表示する第１の情報表示部および当該信号波形を表示する波形表示部を上下方向および左右方向のいずれか一方の方向で並べた第１の表示画面と、前記信号波形に関する第２の情報を表示する第２の情報表示部および前記波形表示部を前記一方の方向で並べた第２の表示画面とを切り替えて表示させる波形表示方法であって、
前記第１の表示画面および前記第２の表示画面のいずれか一方の表示画面から他方の表示画面に切り替えるときに、前記第１の情報表示部、前記波形表示部および前記第２の情報表示部を前記一方の方向にスクロールさせる波形表示方法。
【発明の詳細な説明】
【技術分野】
【０００１】
本発明は、測定データに基づく信号波形を表示部に表示させる波形表示装置および波形表示方法に関するものである。
【背景技術】
【０００２】
この種の波形表示方法に従って信号波形を表示可能に構成された波形表示装置として、被測定波形の波形データと波形データを解析した解析結果とを表示部に表示する際に、表示する解析結果の項目数に応じて波形データの表示領域の広さを調整する波形表示装置が特開２００５−２２７０５２号公報に開示されている。この波形表示装置では、波形データを表示する波形表示ウィンドウと、波形データの解析結果を表示する解析結果表示ウィンドウとを表示画面内に表示させる際に、表示すべき解析結果の項目数に応じて、項目数が少ないときには、波形表示ウィンドウを通常のサイズで表示すると共に、項目数が多いときには、波形表示ウィンドウを縮小して表示させる構成が採用されている。これにより、この波形表示装置では、表示すべき解析結果の項目数が多いときに両ウィンドウに重なりが生じることによって波形データや解析結果が見づらくなる事態が回避されている。
【特許文献１】特開２００５−２２７０５２号公報（第５−７頁、第１−６図）
【発明の開示】
【発明が解決しようとする課題】
【０００３】
ところが、従来の波形表示装置およびその波形表示方法には、以下の問題点がある。すなわち、従来の波形表示装置では、解析結果表示ウィンドウに表示すべき解析結果の項目数に応じて波形表示ウィンドウの広さを調整する構成が採用されている。この場合、この種の波形表示装置によって信号波形を表示させる際には、上記の解析結果だけではなく、信号波形の信号レベルを示すレベルゲージや、波形データの生成条件（測定条件）等の各種の情報を信号波形と共に表示させる必要が生じることがある。しかしながら、従来の波形表示装置の構成（波形表示ウィンドウ以外に表示させるべき情報の量に応じて波形表示ウィンドウの広さを調整する構成）を採用して、これらの各種情報を信号波形と共に表示させようとしたときには、波形表示ウィンドウ（波形表示部）を通常サイズよりも狭くして表示することになる結果、波形表示ウィンドウに表示した信号波形が小さ過ぎて、非常に見づらい状態になるという問題が生じる。
【０００４】
本発明は、かかる問題点に鑑みてなされたものであり、信号波形の視認性を損なうことなく、信号波形についての各種情報を必要に応じて表示させ得る波形表示装置および波形表示方法を提供することを主目的とする。
【課題を解決するための手段】
【０００５】
上記目的を達成すべく請求項１記載の波形表示装置は、測定データに基づく信号波形を表示部に表示させる制御部を備えた波形表示装置であって、前記制御部は、前記信号波形に関する第１の情報を表示する第１の情報表示部および当該信号波形を表示する波形表示部を上下方向および左右方向のいずれか一方の方向で並べた第１の表示画面と、前記信号波形に関する第２の情報を表示する第２の情報表示部および前記波形表示部を前記一方の方向で並べた第２の表示画面とを、前記第１の表示画面および前記第２の表示画面のいずれか一方の表示画面から他方の表示画面に切り替えて表示させるときに、前記第１の情報表示部、前記波形表示部および前記第２の情報表示部を前記一方の方向にスクロールさせる。
【０００７】
また、請求項２記載の波形表示装置は、請求項１記載の波形表示装置において、前記制御部が、前記信号波形に関する第３の情報を表示する第３の情報表示部および当該信号波形に関する第４の情報を表示する第４の情報表示部のいずれかと前記波形表示部とを前記上下方向および前記左右方向の他方の方向で並べて表示させる。
【０００８】
さらに、請求項３記載の波形表示装置は、請求項２記載の波形表示装置において、前記制御部が、前記第３の情報表示部および前記第４の情報表示部のいずれか一方を表示させた状態と、前記第３の情報表示部および前記第４の情報表示部のいずれも表示させていない状態とのいずれか一方の状態から他方の状態に切り替えるときに、少なくとも、前記波形表示部と、前記第３の情報表示部および前記第４の情報表示部のいずれか一方とを前記他方の方向にスクロールさせる。
【０００９】
また、請求項４記載の波形表示装置は、請求項２または３記載の波形表示装置において、前記制御部が、前記第３の情報表示部および前記第４の情報表示部のいずれか一方の情報表示部を表示させた状態から他方の当該情報表示部を表示させた状態に切り替えるときに、少なくとも、前記波形表示部、前記第３の情報表示部および前記第４の情報表示部を前記他方の方向にスクロールさせる。
【００１０】
さらに、請求項５記載の波形表示装置は、請求項１から４のいずれかに記載の波形表示装置において、前記制御部が、前記各表示画面内における前記波形表示部の時間軸方向の長さを互いに等しい長さに規定して当該波形表示部を表示させる。
【００１１】
また、請求項６記載の波形表示方法は、測定データに基づく信号波形を表示部に表示させる際に、前記信号波形に関する第１の情報を表示する第１の情報表示部および当該信号波形を表示する波形表示部を上下方向および左右方向のいずれか一方の方向で並べた第１の表示画面と、前記信号波形に関する第２の情報を表示する第２の情報表示部および前記波形表示部を前記一方の方向で並べた第２の表示画面とを切り替えて表示させる波形表示方法であって、前記第１の表示画面および前記第２の表示画面のいずれか一方の表示画面から他方の表示画面に切り替えるときに、前記第１の情報表示部、前記波形表示部および前記第２の情報表示部を前記一方の方向にスクロールさせる。
【発明の効果】
【００１２】
請求項１記載の波形表示装置および請求項６記載の波形表示方法によれば、信号波形に関する第１の情報を表示する第１の情報表示部および信号波形を表示する波形表示部を上下方向および左右方向のいずれか一方の方向で並べた第１の表示画面と、信号波形に関する第２の情報を表示する第２の情報表示部および波形表示部を一方の方向で並べた第２の表示画面とを切り替えて表示させることにより、波形表示ウィンドウ以外に表示させるべき情報の量に応じて波形表示ウィンドウの広さを調整する従来の波形表示装置とは異なり、波形表示部と共に第１の情報表示部を表示させたいときには、第１の表示画面に切り替え、波形表示部と共に第２の情報表示部を表示させたいときには、第２の表示画面に切り替えることにより、第１の情報表示部および第２の情報表示部の双方を表示していなくとも、第１の情報表示部に表示される第１の情報と第２の情報表示部に表示される第２の情報とを容易に参照することができる。したがって、この波形表示装置および波形表示方法によれば、従来の波形表示装置と比較して、第１の情報表示部および第２の情報表示部のいずれか非表示となる一方の表示面積分だけ波形表示部を広く表示することができるため、波形表示部に表示させる信号波形の視認性を十分に向上させることができる。
【００１３】
また、第１の表示画面および第２の表示画面のいずれか一方の表示画面から他方の表示画面に切り替えるときに、第１の情報表示部、波形表示部および第２の情報表示部を上記の一方の方向にスクロールさせることにより、第１の表示画面および第２の表示画面を瞬時に切り替える構成と比較して、第１の表示画面から第２の表示画面に切り替えたときに、第１の情報表示部に代えて第２の情報表示部が表示されるのを利用者に対して違和感なく認識させることができると共に、第２の表示画面から第１の表示画面に切り替えたときに、第２の情報表示部に代えて第１の情報表示部が表示されるのを利用者に対して違和感なく認識させることができる。
【００１４】
さらに、請求項２記載の波形表示装置によれば、信号波形に関する第３の情報を表示する第３の情報表示部および信号波形に関する第４の情報を表示する第４の情報表示部のいずれかと波形表示部とを上下方向および左右方向の他方の方向で並べて表示させることにより、第３の表示画面および第４の表示画面のいずれかを表示させるように表示画面を切り替えることにより、第３の表示画面および第４の表示画面の双方を表示していなくとも、第３の表示画面に表示される第３の情報と第４の表示画面に表示される第４の情報とを容易に参照することができる。したがって、この波形表示装置によれば、従来の波形表示装置と比較して、第３の表示画面および第４の表示画面のいずれか非表示となる一方の表示面積分だけ波形表示部を広く表示することができるため、波形表示部に表示させる信号波形の視認性を十分に向上させることができる。
【００１５】
また、請求項３記載の波形表示装置によれば、第３の情報表示部および第４の情報表示部のいずれか一方を表示させた状態と、第３の情報表示部および第４の情報表示部のいずれも表示させていない状態とのいずれか一方の状態から他方の状態に切り替えるときに、少なくとも、波形表示部と、第３の情報表示部および第４の情報表示部のいずれか一方とを他方の方向にスクロールさせることにより、第３の表示画面または第４の表示画面を表示させた状態と、第３の表示画面および第４の表示画面を非表示とした状態とを瞬時に切り替える構成と比較して、第３の表示画面または第４の表示画面が表示される旨、或いは、非表示となる旨を利用者に対して違和感なく認識させることができる。
【００１６】
さらに、請求項４記載の波形表示装置によれば、第３の情報表示部および第４の情報表示部のいずれか一方の情報表示部を表示させた状態から他方の情報表示部を表示させた状態に切り替えるときに、少なくとも、波形表示部、第３の情報表示部および第４の情報表示部を上記の他方の方向にスクロールさせることにより、第３の表示画面を表示させた状態と、第４の表示画面を表示させた状態とを瞬時に切り替える構成と比較して、第３の表示画面に代えて第４の表示画面が表示される旨、或いは、第４の表示画面に代えて第３の表示画面が表示される旨を利用者に対して違和感なく認識させることができる。
【００１７】
また、請求項５記載の波形表示装置によれば、各表示画面内における波形表示部の時間軸方向の長さを互いに等しい長さに規定して波形表示部を表示させることにより、波形表示部に表示された信号波形の視認性が損なわれる事態を確実に回避することができると共に、表示画面の切替え時に信号波形の表示サイズや信号波形の表示範囲が変化するといった違和感が生じる事態を確実に回避することができる。
【発明を実施するための最良の形態】
【００１８】
以下、本発明に係る波形表示装置および波形表示方法の最良の形態について、添付図面を参照して説明する。
【００１９】
図１に示す波形表示装置１は、本発明に係る波形表示方法に従って入力信号Ｓｉの信号波形（信号波形Ｗ１，Ｗ２：図２参照）を表示させる装置の一例であって、測定部２、操作部３、表示部４、記憶部５および制御部６を備えて構成されている。測定部２は、アンプ、Ａ／Ｄ変換部、トリガ検出部およびバッファメモリ等（いずれも図示せず）を備えて構成され、制御部６の制御に従って入力信号Ｓｉをアナログ−デジタル変換して（入力信号Ｓｉを所定のサンプリング周期でサンプリングして）入力信号Ｓｉの電気的パラメータ（例えば、電圧値、電流値、周波数、位相など）を示すサンプリングデータＤｓ（本発明における測定データ）を生成する。この場合、この波形表示装置１では、上記の測定部２が、一例として測定チャンネル１および測定チャンネル２（以下、「ＣＨ１」および「ＣＨ２」ともいう）の２つの測定チャンネルを備えて各測定チャンネル毎に別個独立してサンプリングデータＤｓを生成する構成が採用されている。
【００２０】
操作部３は、測定条件や信号波形の表示条件等を設定する（指定する）ための各種操作スイッチを備え、スイッチ操作に応じた操作信号Ｓ１を制御部６に出力する。表示部４は、後述するように、制御部６から出力された表示用データＤｐに基づき、図２，３，５，７，９，１０に示す信号波形表示画面１０Ａ，１０Ｂ，１０Ａａ，１０Ａｂ，１０Ｂａ，１０Ｂｂ（以下、区別しないときには「信号波形表示画面１０」ともいう）を表示する。記憶部５は、一例として、ＲＡＭ（Random Access Memory）、リムーバブルメモリ（メモリカード等）およびＨＤＤ（Hard Disc Drive ）などで構成されて、制御部６の制御に従って測定部２から出力された所定時間分のサンプリングデータＤｓを記録する。制御部６は、波形表示装置１を統括的に制御する。具体的には、制御部６は、操作部３から出力された操作信号Ｓ１や予め設定された動作条件に従い、測定部２による測定処理を制御すると共に、測定部２から出力されたサンプリングデータＤｓを記憶部５に記憶させる。また、制御部６は、後述するようにして、記憶部５に記憶させたサンプリングデータＤｓに基づいて信号波形Ｗ１，Ｗ２等を表示するための表示用データＤｐを生成する。
【００２１】
この波形表示装置１によって入力信号Ｓｉの信号波形Ｗ１，Ｗ２を表示部４に表示させる際には、まず、測定対象体に測定部２を電気的に接続した状態において、入力信号ＳｉについてのサンプリングデータＤｓを生成して記憶部５に記憶させる。具体的には、操作部３のスタートスイッチを操作すると、制御部６が、操作部３からの操作信号Ｓ１に応じて測定部２を制御して入力信号ＳｉについてのサンプリングデータＤｓを生成する処理（測定処理）を開始させる。一方、制御部６は、測定部２によって生成されたサンプリングデータＤｓを記憶部５に順次記憶させ、予め設定された測定終了時刻が到来したとき、または、操作部３のストップスイッチが操作されたときに、測定部２を制御してサンプリングデータＤｓを生成する処理を終了させる。これにより、記憶部５には、入力信号Ｓｉについての所定時間分のサンプリングデータＤｓが記憶される。
【００２２】
次いで、操作部３の操作スイッチを操作して、記憶部５に記憶させたサンプリングデータＤｓに基づく信号波形Ｗ１，Ｗ２の表示処理を開始させる。この際に、制御部６は、操作部３からの操作信号Ｓ１に応じて記憶部５からサンプリングデータＤｓを読み出すと共に、一例として、図２に示す信号波形表示画面１０Ａを表示するための表示用データＤｐを生成して表示部４に出力する。これにより、表示部４には、同図に示す信号波形表示画面１０Ａが表示される。この信号波形表示画面１０Ａは、本発明における第１の表示画面の一例であって、サンプリングデータＤｓに基づく信号波形Ｗ１，Ｗ２を表示する波形表示部１１と、信号波形Ｗ１，Ｗ２を表示するためのサンプリングデータＤｓの測定条件やサンプリングデータＤｓに基づく信号波形Ｗ１，Ｗ２の表示条件等の設定値（信号波形Ｗ１，Ｗ２に関する第１の情報の一例）を表示する設定条件表示部１２とが左右方向で並んで表示されている（本発明における「一方の方向」が「左右方向」の例）。
【００２３】
この場合、波形表示部１１は、本発明における波形表示部の一例であって、信号波形Ｗ１，Ｗ２を表示する波形表示領域１１ａと、記憶部５に記憶させた所定時間分のサンプリングデータＤｓのうちのいずれの時点におけるサンプリングデータＤｓに基づく信号波形Ｗ１，Ｗ２を波形表示領域１１ａに表示させているかを示す表示位置ゲージ１１ｂとで構成されている。一方、設定条件表示部１２は、本発明における第１の情報表示部の一例であって、波形表示領域１１ａに信号波形Ｗ１，Ｗ２を表示させる際の時間軸方向の表示レンジを設定するための（設定値を表示するための）時間軸レンジ設定領域１２ａと、サンプリングデータＤｓの記録長（サンプリングデータＤｓを記憶する時間）を設定するための（設定値を表示するための）記録長設定領域１２ｂと、トリガモードの設定値を表示するための（トリガモードを設定するための）トリガモード設定領域１２ｃと、測定部２におけるＣＨ１の動作条件を設定するための（設定値を表示するための）ＣＨ１動作条件設定領域１２ｄと、測定部２におけるＣＨ２の動作条件を設定するための（設定値を表示するための）ＣＨ２動作条件設定領域１２ｅと、ジャンプボタン１２ｆとで構成されている。
【００２４】
この信号波形表示画面１０Ａでは、信号波形Ｗ１，Ｗ２を表示した波形表示部１１の右側に設定条件表示部１２を並べて表示させることにより、そのＣＨ１動作条件設定領域１２ｄおよびＣＨ２動作条件設定領域１２ｅを参照することで、ＣＨ１で測定されたサンプリングデータＤｓに基づく信号波形Ｗ１が１ｄｉｖ当り５ｍＶのスケールで表示されると共に、ＣＨ２で測定されたサンプリングデータＤｓに基づく信号波形Ｗ２が１ｄｉｖ当り１０ｍＶのスケールで表示されているのを容易に認識することが可能となっている。一方、この波形表示装置１では、信号波形Ｗ１，Ｗ２の表示スケールをより直感的に認識可能とするために、図３に示すように、レベルゲージ表示部１３を波形表示部１１と並べて表示した信号波形表示画面１０Ｂを上記の信号波形表示画面１０Ａに代えて表示部４に表示させることが可能となっている。
【００２５】
この信号波形表示画面１０Ｂは、本発明における第２の表示画面の一例であって、波形表示部１１と、信号波形Ｗ１，Ｗ２の振幅方向における表示レベル（信号波形Ｗ１，Ｗ２の電圧値）を特定するための表示（信号波形Ｗ１，Ｗ２に関する第２の情報の一例）を表示するレベルゲージ表示部１３とが左右方向で並んで表示されている（本発明における「一方の方向」が「左右方向」の例）。この場合、レベルゲージ表示部１３は、本発明における第２の情報表示部の一例であって、波形表示部１１における波形表示領域１１ａの左側に表示されたレベルゲージ１３ａと、ＣＨ１のサンプリングデータＤｓに基づく信号波形Ｗ１の表示レベル（電圧値）を示すＣＨ１レベル値表示部１３ｂと、ＣＨ２のサンプリングデータＤｓに基づく信号波形Ｗ２の表示レベル（電圧値）を示すＣＨ２レベル値表示部１３ｃとで構成されている。
【００２６】
この場合、この波形表示装置１では、前述した信号波形表示画面１０Ａから上記の信号波形表示画面１０Ｂに切り替えて波形表示部１１の左側にレベルゲージ表示部１３を表示したときに、信号波形表示画面１０Ａにおいて波形表示部１１の右側に表示していた設定条件表示部１２を非表示にしている。同様にして、上記の信号波形表示画面１０Ｂから前述した信号波形表示画面１０Ａに切り替えて波形表示部１１の右側に設定条件表示部１２を表示したときに、信号波形表示画面１０Ｂにおいて波形表示部１１の左側に表示していたレベルゲージ表示部１３を非表示にする。このため、この波形表示装置１では、図２，３に示すように、信号波形表示画面１０Ａ，１０Ｂの双方において波形表示部１１の時間軸方向の長さＬが互いに等しい長さとなっている。この結果、この波形表示装置１では、信号波形以外に表示すべき情報の量に応じて波形表示ウィンドウを縮小する従来の波形表示装置とは異なり、信号波形表示画面１０Ａ，１０Ｂのいずれを表示させた状態においても（設定条件表示部１２およびレベルゲージ表示部１３のいずれを表示させた状態においても）、波形表示部１１（波形表示領域１１ａ）に表示されている信号波形Ｗ１，Ｗ２の見易さの度合いが等しくなっている。
【００２７】
また、この波形表示装置１では、前述した信号波形表示画面１０Ａから上記の信号波形表示画面１０Ｂに切り替える際に、図４に示す矢印Ｒの向き（本発明における「一方の方向」：この例では、左右方向のうちの右向き）で、レベルゲージ表示部１３、波形表示部１１および設定条件表示部１２をスクロールさせた後に、設定条件表示部１２を非表示とする。したがって、信号波形表示画面１０Ａから信号波形表示画面１０Ｂに瞬間的に切り替えて表示替えする構成（方法）と比較して、設定条件表示部１２に代えてレベルゲージ表示部１３が表示されるのを利用者に対して違和感なく認識させることが可能となっている。さらに、この波形表示装置１では、上記の信号波形表示画面１０Ｂから前述した信号波形表示画面１０Ａに切り替える際に、同図に示す矢印Ｌの向き（本発明における「一方の方向」：この例では、左右方向のうちの左向き）で、レベルゲージ表示部１３、波形表示部１１および設定条件表示部１２をスクロールさせた後に、レベルゲージ表示部１３を非表示とする。したがって、信号波形表示画面１０Ｂから信号波形表示画面１０Ａに瞬間的に切り替えて表示替えする構成（方法）と比較して、レベルゲージ表示部１３に代えて設定条件表示部１２が表示されるのを利用者に対して違和感なく認識させることが可能となっている。
【００２８】
一方、この波形表示装置１では、上記のように波形表示部１１と設定条件表示部１２とを並べて表示させた状態（信号波形表示画面１０Ａを表示させた状態）、または、波形表示部１１とレベルゲージ表示部１３とを並べて表示させた状態（信号波形表示画面１０Ｂを表示させた状態）において、信号波形Ｗ１，Ｗ２に関する他の情報をさらに表示させることが可能となっている。具体的には、図５に示す信号波形表示画面１０Ａａや、図７に示す信号波形表示画面１０Ａｂを信号波形表示画面１０Ａに代えて表示部４に表示させたり、図９に示す信号波形表示画面１０Ｂａや、図１０に示す信号波形表示画面１０Ｂｂを信号波形表示画面１０Ｂに代えて表示部４に表示させたりすることが可能となっている。
【００２９】
図５に示す信号波形表示画面１０Ａａは、波形表示部１１と、設定条件表示部１２とが左右方向で並んで表示されると共に、波形表示部１１と、信号波形Ｗ１，Ｗ２を表示するためのサンプリングデータＤｓの測定開始日時等（信号波形Ｗ１，Ｗ２に関する第３の情報の一例）を表示する測定処理情報表示部１４とが上下方向で並んで表示されている（本発明における「他方の方向」が「上下方向」の例）。この場合、測定処理情報表示部１４は、本発明における第３の情報表示部の一例であって、現在の日時を表示する現在日時表示部１４ａと、上記の測定開始日時を表示する測定開始日時表示部１４ｂとで構成されている。また、図９に示す信号波形表示画面１０Ｂａは、波形表示部１１と、レベルゲージ表示部１３とが左右方向で並んで表示されると共に、波形表示部１１と、測定処理情報表示部１４とが上下方向で並んで表示されている（本発明における「他方の方向」が「上下方向」の例）。
【００３０】
一方、図７に示す信号波形表示画面１０Ａｂは、波形表示部１１と、設定条件表示部１２とが左右方向で並んで表示されると共に、波形表示部１１と、信号波形Ｗ１，Ｗ２における所定部位の電圧値を表示するための「Ａカーソル」および「Ｂカーソル」に関する情報（信号波形Ｗ１，Ｗ２に関する第４の情報の一例）を表示するカーソル情報表示部１５とが上下方向で並んで表示されている（本発明における「他方の方向」が「上下方向」の例）。この場合、カーソル情報表示部１５は、本発明における第４の情報表示部の一例であって、上記の「Ａカーソル」によって選択された部位における信号波形Ｗ１，Ｗ２の電圧レベル等を表示するＡカーソル情報表示部１５ａと、上記の「Ｂカーソル」によって選択された部位における信号波形Ｗ１，Ｗ２の電圧レベル等を表示するＢカーソル情報表示部１５ｂと、「Ａカーソル」および「Ｂカーソル」の表示条件等を表示する条件表示部１５ｃとで構成されている。また、図１０に示す信号波形表示画面１０Ｂｂは、波形表示部１１と、レベルゲージ表示部１３とが左右方向で並んで表示されると共に、波形表示部１１と、カーソル情報表示部１５とが上下方向で並んで表示されている（本発明における「他方の方向」が「上下方向」の例）。
【００３１】
この場合、この波形表示装置１では、前述した信号波形表示画面１０Ａから、図５に示す信号波形表示画面１０Ａａに切り替えて波形表示部１１の上側に測定処理情報表示部１４を表示したときに、波形表示部１１の時間軸方向の長さＬを互いに等しい長さに維持して信号波形Ｗ１，Ｗ２を表示している。同様にして、前述した信号波形表示画面１０Ｂから、図９に示す信号波形表示画面１０Ｂａに切り替えて波形表示部１１の上側に測定処理情報表示部１４を表示したときに、波形表示部１１の時間軸方向の長さＬを互いに等しい長さに維持して信号波形Ｗ１，Ｗ２を表示している。この結果、この波形表示装置１では、従来の波形表示装置とは異なり、信号波形表示画面１０Ａ，１０Ａａ，１０Ｂ，１０Ｂａのいずれを表示させた状態においても（測定処理情報表示部１４を表示させていない状態、および測定処理情報表示部１４を表示させた状態のいすれにおいても）、波形表示部１１（波形表示領域１１ａ）に表示されている信号波形Ｗ１，Ｗ２の見易さの度合いが等しくなっている。
【００３２】
また、この波形表示装置１では、前述した信号波形表示画面１０Ａから上記の信号波形表示画面１０Ａａに切り替える際に、図６に示す矢印Ｄの向き（本発明における「他方の方向」：この例では、上下方向のうちの下向き）で、波形表示部１１および測定処理情報表示部１４をスクロールさせる。同様にして、前述した信号波形表示画面１０Ｂから上記の信号波形表示画面１０Ｂａに切り替える際に、波形表示部１１、レベルゲージ表示部１３および測定処理情報表示部１４を下向き（本発明における「他方の方向」）にスクロールさせる。したがって、信号波形表示画面１０Ａから信号波形表示画面１０Ａａに瞬間的に切り替えて表示替えする構成（方法）や、信号波形表示画面１０Ｂから信号波形表示画面１０Ｂａに瞬間的に切り替えて表示替えする構成（方法）と比較して、測定処理情報表示部１４が表示される、または、測定処理情報表示部１４が非表示となるのを利用者に対して違和感なく認識させることが可能となっている。
【００３３】
さらに、この波形表示装置１では、信号波形表示画面１０Ａａから信号波形表示画面１０Ａに切り替える際に、図６に示す矢印Ｕの向き（本発明における「他方の方向」：この例では、上下方向のうちの上向き）で、波形表示部１１および測定処理情報表示部１４をスクロールさせた後に、測定処理情報表示部１４を非表示とする。同様にして、前述した信号波形表示画面１０Ｂａから上記の信号波形表示画面１０Ｂに切り替える際に、波形表示部１１、レベルゲージ表示部１３および測定処理情報表示部１４を上向き（本発明における「他方の方向」）にスクロールさせた後に、測定処理情報表示部１４を非表示とする。したがって、信号波形表示画面１０Ａａから信号波形表示画面１０Ａに瞬間的に切り替えて表示替えする構成（方法）や、信号波形表示画面１０Ｂａから信号波形表示画面１０Ｂに瞬間的に切り替えて表示替えする構成（方法）と比較して、測定処理情報表示部１４が表示される、または、測定処理情報表示部１４が非表示となるのを利用者に対して違和感なく認識させることが可能となっている。
【００３４】
また、この波形表示装置１では、前述した信号波形表示画面１０Ａから上記の信号波形表示画面１０Ａｂに切り替える際に、図８に示す矢印Ｕの向き（本発明における「他方の方向」：この例では、上下方向のうちの上向き）で、波形表示部１１およびカーソル情報表示部１５をスクロールさせる。同様にして、前述した信号波形表示画面１０Ｂから上記の信号波形表示画面１０Ｂｂに切り替える際に、波形表示部１１、レベルゲージ表示部１３およびカーソル情報表示部１５を上向き（本発明における「他方の方向」）にスクロールさせる。したがって、信号波形表示画面１０Ａから信号波形表示画面１０Ａｂに瞬間的に切り替えて表示替えする構成（方法）や、信号波形表示画面１０Ｂから信号波形表示画面１０Ｂｂに瞬間的に切り替えて表示替えする構成（方法）と比較して、カーソル情報表示部１５が表示される、または、カーソル情報表示部１５が非表示となるのを利用者に対して違和感なく認識させることが可能となっている。
【００３５】
さらに、この波形表示装置１では、信号波形表示画面１０Ａｂから信号波形表示画面１０Ａに切り替える際に、図８に示す矢印Ｄの向き（本発明における「他方の方向」：この例では、上下方向のうちの下向き）で、波形表示部１１およびカーソル情報表示部１５をスクロールさせた後に、カーソル情報表示部１５を非表示とする。同様にして、前述した信号波形表示画面１０Ｂｂから上記の信号波形表示画面１０Ｂに切り替える際に、波形表示部１１、レベルゲージ表示部１３およびカーソル情報表示部１５を下向き（本発明における「他方の方向」）にスクロールさせた後に、カーソル情報表示部１５を非表示とする。したがって、信号波形表示画面１０Ａｂから信号波形表示画面１０Ａに瞬間的に切り替えて表示替えする構成（方法）や、信号波形表示画面１０Ｂｂから信号波形表示画面１０Ｂに瞬間的に切り替えて表示替えする構成（方法）と比較して、カーソル情報表示部１５が表示される、または、カーソル情報表示部１５が非表示となるのを利用者に対して違和感なく認識させることが可能となっている。
【００３６】
また、この波形表示装置１では、信号波形表示画面１０Ａａから信号波形表示画面１０Ａｂに切り替える際（本発明における「一方の情報表示部を表示させた状態から他方の情報表示部を表示させた状態に切り替えるとき」の一例）に、波形表示部１１、測定処理情報表示部１４およびカーソル情報表示部１５を上向き（本発明における「他方の方向」）にスクロールさせた後に、測定処理情報表示部１４を非表示にする。同様にして、信号波形表示画面１０Ａｂから信号波形表示画面１０Ａａに切り替える際（本発明における「一方の情報表示部を表示させた状態から他方の情報表示部を表示させた状態に切り替えるとき」の他の一例）に、波形表示部１１、測定処理情報表示部１４およびカーソル情報表示部１５を下向き（本発明における「他方の方向」）にスクロールさせた後に、カーソル情報表示部１５を非表示にする。したがって、信号波形表示画面１０Ａａから信号波形表示画面１０Ａｂに瞬間的に切り替えて表示替えする構成（方法）や、信号波形表示画面１０Ａｂから信号波形表示画面１０Ａａに瞬間的に切り替えて表示替えする構成（方法）と比較して、測定処理情報表示部１４に代えてカーソル情報表示部１５が表示される旨、または、カーソル情報表示部１５に代えて測定処理情報表示部１４が表示される旨を利用者に対して違和感なく認識させることが可能となっている。
【００３７】
さらに、この波形表示装置１では、信号波形表示画面１０Ｂａから信号波形表示画面１０Ｂｂに切り替える際（本発明における「一方の情報表示部を表示させた状態から他方の情報表示部を表示させた状態に切り替えるとき」のさらに他の一例）に、波形表示部１１、レベルゲージ表示部１３、測定処理情報表示部１４およびカーソル情報表示部１５を上向き（本発明における「他方の方向」）にスクロールさせた後に、測定処理情報表示部１４を非表示にする。同様にして、信号波形表示画面１０Ｂｂから信号波形表示画面１０Ｂａに切り替える際（本発明における「一方の情報表示部を表示させた状態から他方の情報表示部を表示させた状態に切り替えるとき」のさらに他の一例）に、波形表示部１１、レベルゲージ表示部１３、測定処理情報表示部１４およびカーソル情報表示部１５を下向き（本発明における「他方の方向」）にスクロールさせた後に、カーソル情報表示部１５を非表示にする。したがって、信号波形表示画面１０Ｂａから信号波形表示画面１０Ｂｂに瞬間的に切り替えて表示替えする構成（方法）や、信号波形表示画面１０Ｂｂから信号波形表示画面１０Ｂａに瞬間的に切り替えて表示替えする構成（方法）と比較して、測定処理情報表示部１４に代えてカーソル情報表示部１５が表示される旨、または、カーソル情報表示部１５に代えて測定処理情報表示部１４が表示される旨を利用者に対して違和感なく認識させることが可能となっている。
【００３８】
また、この波形表示装置１では、信号波形表示画面１０Ａａから信号波形表示画面１０Ｂａに切り替える際（「第１の表示画面」から「第２の表示画面」に切り替えるとき」の他の一例）に、波形表示部１１、設定条件表示部１２、レベルゲージ表示部１３および測定処理情報表示部１４を右向き（本発明における「一方の方向」）にスクロールさせた後に、設定条件表示部１２を非表示にする。同様にして、信号波形表示画面１０Ｂａから信号波形表示画面１０Ａａに切り替える際（「第２の表示画面」から「第１の表示画面」に切り替えるとき」の他の一例）に、波形表示部１１、設定条件表示部１２、レベルゲージ表示部１３および測定処理情報表示部１４を左向き（本発明における「一方の方向」）にスクロールさせた後に、レベルゲージ表示部１３を非表示にする。したがって、信号波形表示画面１０Ａａから信号波形表示画面１０Ｂａに瞬間的に切り替えて表示替えする構成（方法）や、信号波形表示画面１０Ｂａから信号波形表示画面１０Ａａに瞬間的に切り替えて表示替えする構成（方法）と比較して、設定条件表示部１２に替えてレベルゲージ表示部１３が表示される旨、または、レベルゲージ表示部１３に替えて設定条件表示部１２が表示される旨を利用者に対して違和感なく認識させることが可能となっている。
【００３９】
さらに、この波形表示装置１では、信号波形表示画面１０Ａｂから信号波形表示画面１０Ｂｂに切り替える際（「第１の表示画面」から「第２の表示画面」に切り替えるとき」のさらに他の一例）に、波形表示部１１、設定条件表示部１２、レベルゲージ表示部１３およびカーソル情報表示部１５を右向き（本発明における「一方の方向」）にスクロールさせた後に、設定条件表示部１２を非表示にする。同様にして、信号波形表示画面１０Ｂｂから信号波形表示画面１０Ａｂに切り替える際（「第２の表示画面」から「第１の表示画面」に切り替えるとき」のさらに他の一例）に、波形表示部１１、設定条件表示部１２、レベルゲージ表示部１３およびカーソル情報表示部１５を左向き（本発明における「一方の方向」）にスクロールさせた後に、レベルゲージ表示部１３を非表示にする。したがって、信号波形表示画面１０Ａｂから信号波形表示画面１０Ｂｂに瞬間的に切り替えて表示替えする構成（方法）や、信号波形表示画面１０Ｂｂから信号波形表示画面１０Ａｂに瞬間的に切り替えて表示替えする構成（方法）と比較して、設定条件表示部１２に替えてレベルゲージ表示部１３が表示される旨、または、レベルゲージ表示部１３に替えて設定条件表示部１２が表示される旨を利用者に対して違和感なく認識させることが可能となっている。
【００４０】
このように、この波形表示装置１およびその波形表示方法によれば、設定条件表示部１２（第１の情報表示部）および波形表示部１１を左右方向で並べた信号波形表示画面１０Ａ（第１の表示画面）と、レベルゲージ表示部１３（第２の情報表示部）および波形表示部１１を左右方向で並べた信号波形表示画面１０Ｂ（第２の表示画面）とを切り替えて表示させることにより、波形表示ウィンドウ以外に表示させるべき情報の量に応じて波形表示ウィンドウの広さを調整する従来の波形表示装置とは異なり、波形表示部１１と共に設定条件表示部１２を表示させたいときには、信号波形表示画面１０Ａに切り替え、波形表示部１１と共にレベルゲージ表示部１３を表示させたいときには、信号波形表示画面１０Ｂに切り替えることにより、設定条件表示部１２およびレベルゲージ表示部１３の双方を表示していなくとも、設定条件表示部１２に表示される情報とレベルゲージ表示部１３に表示される情報とを容易に参照することができる。したがって、この波形表示装置１およびその波形表示方法によれば、従来の波形表示装置と比較して、設定条件表示部１２およびレベルゲージ表示部１３のいずれか非表示となる一方の表示面積分だけ波形表示部１１を広く表示することができるため、波形表示部１１（波形表示領域１１ａ）に表示させる信号波形Ｗ１，Ｗ２の視認性を十分に向上させることができる。
【００４１】
また、この波形表示装置１およびその波形表示方法によれば、信号波形表示画面１０Ａおよび信号波形表示画面１０Ｂのいずれか一方の表示画面から他方の表示画面に切り替えるときに、設定条件表示部１２、波形表示部１１およびレベルゲージ表示部１３を左右方向にスクロールさせることにより、信号波形表示画面１０Ａ，１０Ｂを瞬時に切り替える構成と比較して、信号波形表示画面１０Ａから信号波形表示画面１０Ｂに切り替えたときに、設定条件表示部１２に代えてレベルゲージ表示部１３が表示されるのを利用者に対して違和感なく認識させることができると共に、信号波形表示画面１０Ｂから信号波形表示画面１０Ａに切り替えたときに、レベルゲージ表示部１３に代えて設定条件表示部１２が表示されるのを利用者に対して違和感なく認識させることができる。
【００４２】
さらに、この波形表示装置１およびその波形表示方法によれば、測定処理情報表示部１４（第３の情報表示部）およびカーソル情報表示部１５（第４の情報表示部）のいずれかと波形表示部１１とを上下方向で並べて表示させることにより、測定処理情報表示部１４およびカーソル情報表示部１５のいずれかを表示させるように表示画面を切り替える（この例では、信号波形表示画面１０Ａａ，１０Ｂａと信号波形表示画面１０Ａｂ，１０Ｂｂとを切り替える）ことにより、測定処理情報表示部１４およびカーソル情報表示部１５の双方を表示していなくとも、測定処理情報表示部１４に表示される情報とカーソル情報表示部１５に表示される情報とを容易に参照することができる。したがって、この波形表示装置１およびその波形表示方法によれば、従来の波形表示装置と比較して、測定処理情報表示部１４およびカーソル情報表示部１５のいずれか非表示となる一方の表示面積分だけ波形表示部１１を広く表示することができるため、波形表示部１１（波形表示領域１１ａ）に表示させる信号波形Ｗ１，Ｗ２の視認性を十分に向上させることができる。
【００４３】
また、この波形表示装置１およびその波形表示方法によれば、測定処理情報表示部１４およびカーソル情報表示部１５のいずれか一方を表示させた状態（信号波形表示画面１０Ａａ，１０Ａｂ，１０Ｂａ，１０Ｂｂのいずれかを表示させた状態）と、測定処理情報表示部１４およびカーソル情報表示部１５のいずれも表示させていない状態（信号波形表示画面１０Ａ，１０Ｂを表示させた状態）とのいずれか一方の状態から他方の状態に切り替えるときに、少なくとも、波形表示部１１と、測定処理情報表示部１４およびカーソル情報表示部１５のいずれか一方とを上下方向にスクロールさせることにより、測定処理情報表示部１４またはカーソル情報表示部１５を表示させた状態（この例では、信号波形表示画面１０Ａａ，１０Ａｂ，１０Ｂａ，１０Ｂｂを表示させた状態）と、測定処理情報表示部１４およびカーソル情報表示部１５を非表示とした状態（この例では、信号波形表示画面１０Ａ，１０Ｂを表示させた状態）とを瞬時に切り替える構成と比較して、測定処理情報表示部１４またはカーソル情報表示部１５が表示される旨、或いは、非表示となる旨を利用者に対して違和感なく認識させることができる。
【００４４】
また、この波形表示装置１およびその波形表示方法によれば、測定処理情報表示部１４およびカーソル情報表示部１５のいずれか一方の情報表示部を表示させた状態から他方の情報表示部を表示させた状態に切り替えるときに、少なくとも、波形表示部１１、測定処理情報表示部１４およびカーソル情報表示部１５を上下方向にスクロールさせることにより、測定処理情報表示部１４を表示させた状態（この例では、信号波形表示画面１０Ａａ，１０Ｂａを表示させた状態）と、カーソル情報表示部１５を表示させた状態（この例では、信号波形表示画面１０Ａｂ，１０Ｂｂを表示させた状態）とを瞬時に切り替える構成と比較して、測定処理情報表示部１４に代えてカーソル情報表示部１５が表示される旨、或いは、カーソル情報表示部１５に代えて測定処理情報表示部１４が表示される旨を利用者に対して違和感なく認識させることができる。
【００４５】
さらに、この波形表示装置１およびその波形表示方法によれば、各信号波形表示画面１０Ａ，１０Ａａ，１０Ａｂ，１０Ｂ，１０Ｂａ，１０Ｂｂ内における波形表示部１１の時間軸方向の長さＬを互いに等しい長さに規定して波形表示部１１を表示させることにより、波形表示部１１（波形表示領域１１ａ）に表示された信号波形Ｗ１，Ｗ２の視認性が損なわれる事態を確実に回避することができると共に、表示画面の切替え時に信号波形Ｗ１，Ｗ２の表示サイズや信号波形Ｗ１，Ｗ２の表示範囲が変化するといった違和感が生じる事態を確実に回避することができる。
【００４６】
なお、本発明は、上記の構成に限定されない。例えば、本発明における第１の情報表示部としての設定条件表示部１２、本発明における第２の情報表示部としてのレベルゲージ表示部１３、本発明における第３の情報表示部としての測定処理情報表示部１４、および本発明における第４の情報表示部としてのカーソル情報表示部１５を波形表示部１１と並べて表示させる例について説明したが、本発明における「信号波形に関する各情報」は、設定条件表示部１２、レベルゲージ表示部１３、測定処理情報表示部１４およびカーソル情報表示部１５に表示した上記の各種情報に限定されず、波形表示部１１（波形表示領域１１ａ）に表示した信号波形Ｗ１，Ｗ２の読み取りを容易とするために有効な各種情報を波形表示部１１と並べて表示させる構成（方法）を採用することができる。この場合、上記の「有効な各種情報」としては、一例として、「信号波形に対する各種演算結果情報（信号波形のサンプリングデータＤｓに基づいて演算したピーク値や平均値等）」や、「信号波形について利用者が付与したコメント（メモ書き）等の文字情報」などが挙げられる。
【００４７】
また、設定条件表示部１２またはレベルゲージ表示部１３と波形表示部１１とを左右方向で並べて表示させると共に、測定処理情報表示部１４またはカーソル情報表示部１５と波形表示部１１とを上下方向で並べて表示させる例について説明したが、設定条件表示部１２またはレベルゲージ表示部１３と波形表示部１１とを上下方向で並べて表示させると共に、測定処理情報表示部１４またはカーソル情報表示部１５と波形表示部１１とを左右方向で並べて表示させる構成（方法）を採用することもできる。さらに、本発明における測定データとして入力信号Ｓｉの電圧値を示すサンプリングデータＤｓを記録して信号波形Ｗ１，Ｗ２を表示する構成について説明したが、本発明における測定データはこれに限らず、電流値、周波数および位相などの各種電気的パラメータを示す測定データがこれに含まれる。また、温度、湿度および風力などのパラメータを電圧値などに変換したものも本発明における測定データに含まれる。
【００４８】
また、表示部４を有する波形表示装置１を例に挙げて説明したが、外部装置としての表示装置に対して上記の各信号波形表示画面１０を表示させる構成を採用することもできる。さらに、測定部２を有する波形表示装置１を例に挙げて説明したが、外部装置としての測定装置によって生成された（測定された）サンプリングデータＤｓに基づいて信号波形Ｗ１，Ｗ２（各信号波形表示画面１０）を表示させる構成を採用することもできる。加えて、記憶部５を有する波形表示装置１を例に挙げて説明したが、外部装置としての各種記録装置に測定データ（サンプリングデータＤｓ）を記憶させる構成や、測定部によって生成された測定データを記録することなく、信号波形を直ちに表示させる構成を採用することもできる。
【図面の簡単な説明】
【００４９】
【図１】波形表示装置１の構成を示すブロック図である。
【図２】信号波形表示画面１０Ａの表示画面図である。
【図３】信号波形表示画面１０Ｂの表示画面図である。
【図４】信号波形表示画面１０Ａから信号波形表示画面１０Ｂに切り替えるとき、または、信号波形表示画面１０Ｂから信号波形表示画面１０Ａに切り替えるときに、レベルゲージ表示部１３、波形表示部１１および設定条件表示部１２をスクロールさせている状態を示す表示画面図である。
【図５】信号波形表示画面１０Ａａの表示画面図である。
【図６】信号波形表示画面１０Ａから信号波形表示画面１０Ａａに切り替えるとき、または、信号波形表示画面１０Ａａから信号波形表示画面１０Ａに切り替えるときに、波形表示部１１および測定処理情報表示部１４をスクロールさせている状態を示す表示画面図である。
【図７】信号波形表示画面１０Ａｂの表示画面図である。
【図８】信号波形表示画面１０Ａから信号波形表示画面１０Ａｂに切り替えるとき、または、信号波形表示画面１０Ａｂから信号波形表示画面１０Ａに切り替えるときに、波形表示部１１およびカーソル情報表示部１５をスクロールさせている状態を示す表示画面図である。
【図９】信号波形表示画面１０Ｂａの表示画面図である。
【図１０】信号波形表示画面１０Ｂｂの表示画面図である。
【符号の説明】
【００５０】
１  波形表示装置
２  測定部
３  操作部
４  表示部
５  記憶部
６  制御部
１０Ａ，１０Ａａ，１０Ａｂ，１０Ｂ，１０Ｂａ，１０Ｂｂ  信号波形表示画面
１１  波形表示部
１２  設定条件表示部
１３  レベルゲージ表示部
１４  測定処理情報表示部
１５  カーソル情報表示部
Ｄｐ  表示用データ
Ｄｓ  サンプリングデータ
Ｌ  長さ
Ｓｉ  入力信号
Ｗ１，Ｗ２  信号波形
【図１】
0005165343.tif 000002
【図２】
0005165343.tif 000003
【図３】
0005165343.tif 000004
【図４】
0005165343.tif 000005
【図５】
0005165343.tif 000006
【図６】
0005165343.tif 000007
【図７】
0005165343.tif 000008
【図８】
0005165343.tif 000009
【図９】
0005165343.tif 000010
【図１０】
0005165343.tif 000011